(57)【要約】      （修正有）【課題】優れた装飾性を備えたペットボトル製品を提供する。【解決手段】飲料などの内容物Ｃを収納し、筒壁１１の外周面に周方向に沿って形成された周溝部１２を少なくとも一つ有するペットボトル本体１０と、ペットボトル本体１０を密閉したキャップ体２０と、ペットボトル本体１０の周溝部１２に着脱自在に嵌入して組付く湾曲自在な化学発光体チューブ３０とを備える。化学発光体チューブ３０を、蛍光液を密封した筒状のガラスアンプルを、酸化液を介してチューブ本体で密閉し、折曲げによってガラスアンプルを破壊して蛍光液と酸化液との化学反応によって発光させる。【選択図】図１
0003194466.tif 000002
【実用新案登録請求の範囲】
【請求項１】
飲料などの内容物（Ｃ）を収納し，筒壁（１１）の外周面に周方向に沿って形成された周溝部（１２）を少なくとも一つ有するペットボトル本体（１０）と、
前記ペットボトル本体を密閉したキャップ体（２０）と、
前記ペットボトル本体の周溝部に着脱自在に嵌入して組付く湾曲自在な化学発光体チューブ（３０）と、を備え、
前記化学発光体チューブは，蛍光液（３３）を密封した筒状のガラスアンプル（３２）を，酸化液（３４）を介してチューブ本体（３１）で密閉し，折曲げによって前記ガラスアンプルを破壊して前記蛍光液と酸化液との化学反応によって発光させるものであることを特徴とする発光ペットボトル製品。
【請求項２】
飲料などの内容物（Ｃ）を収納し，筒壁（１１）の外周面に周方向に沿って形成された周溝部（１２）を少なくとも一つ有するペットボトル本体（１０）と、
前記ペットボトル本体を密閉したキャップ体（２０）と、
前記ペットボトル本体の周溝部に着脱自在に嵌入して組付く湾曲自在な化学発光体チューブ（３０）と、を備え、
前記化学発光体チューブは，蛍光液（３３）を密封した筒状のガラスアンプル（３２）を，酸化液（３４）を介してチューブ本体（３１）で密閉し，折曲げによって前記ガラスアンプルを破壊して前記蛍光液と酸化液との化学反応によって発光させるものであり、
前記内容物が水であり、
前記ペットボトル本体の筒壁が円筒壁であり、
前記周溝部の長さ（Ｌ１）と前記化学発光体チューブの長さ（Ｌ２）が略同一であり、
前記周溝部の深さＤ１と前記化学発光体チューブの外径Ｄ２が略同一であり、
前記化学発光体チューブの一端部に挿入部（３５）を形成すると共に他端部に受け部（３６）を形成し，前記挿入部を受け部に挿入して前記周溝部に嵌入組付けすることを特徴とする発光ペットボトル製品。
【考案の詳細な説明】
【技術分野】
【０００１】
本考案は、発光機能によって装飾性を持たせた発光ペットボトル製品に関するものである。
【背景技術】
【０００２】
天然水やジュース類などの各種の飲料を収納したペットボトル製品が数多く販売されている。これらのペットボトル製品は、ガラス瓶製品等と比較して安価で軽量でありその取扱いが容易であるため、一般家庭内のみでなく、例えば、お祭り会場や各種のイベント会場といった多くの人々が楽しく集う場所でも数多く販売されている。
【０００３】
こうしたペットボトル製品は、一般に、ボトル本体の周壁にプラスチック製のラベルを巻き付け、そのラベルにボトル本体に収納した内容物や販売会社等を記載しているに留まっている（例えば、特許文献１参照）。従って、装飾性に優れているとは言えない。
【先行技術文献】
【特許文献】
【０００４】
【特許文献１】特開２００６−１９３２０７号公報
【考案の概要】
【考案が解決しようとする課題】
【０００５】
特に、お祭り会場などの多くの人々が楽しく集う場所には華やかさが必要であるが、ペットボトル製品が持つ装飾性によってその華やかさの一部を演出できればお祭り会場などをさらに盛り上げることが可能である。
ペットボトル製品に装飾性を持たせる手段としては、色や絵柄などに工夫を凝らした装飾効果の高いラベルを使用することが考えられるが、例えば、夜間などではその効果に自ずと限界がある。
【０００６】
本考案の考案者らはこうした点に鑑みて研究を重ねた結果、ラベル以外を使用して優れた装飾性を持たせることのできるペットボトル製品を創案するに至った。ここに、本考案は優れた装飾性を備えたペットボトル製品を提供することを課題とする。
【課題を解決するための手段】
【０００７】
図１乃至図７を参照して説明する。請求項１に記載の発光ペットボトル製品１は、飲料などの内容物Ｃを収納し、筒壁１１の外周面に周方向に沿って形成された周溝部１２を少なくとも一つ有するペットボトル本体１０と、前記ペットボトル本体１０を密閉したキャップ体２０と、前記ペットボトル本体１０の周溝部１２に着脱自在に嵌入して組付く湾曲自在な化学発光体チューブ３０とを備える。
【０００８】
また、前記化学発光体チューブ３０は、蛍光液３３を密封した筒状のガラスアンプル３２を、酸化液３４を介してチューブ本体３１で密閉し、折曲げによって前記ガラスアンプル３２を破壊して前記蛍光液３３と酸化液３４との化学反応によって発光させるものである。
【０００９】
請求項２に記載の発光ペットボトル製品１は、飲料などの内容物Ｃを収納し、筒壁１１の外周面に周方向に沿って形成された周溝部１２を少なくとも一つ有するペットボトル本体１０と、前記ペットボトル本体１０を密閉したキャップ体２０と、前記ペットボトル本体１０の周溝部１２に着脱自在に嵌入して組付く湾曲自在な化学発光体チューブ３０とを備える。
【００１０】
また、前記化学発光体チューブ３０は、蛍光液３３を密封した筒状のガラスアンプル３２を、酸化液３４を介してチューブ本体３１で密閉し、折曲げによって前記ガラスアンプル３２を破壊して前記蛍光液３３と酸化液３４との化学反応によって発光させるものである。
【００１１】
また、前記内容物Ｃを水とし、前記ペットボトル本体１０の筒壁１１を円筒壁とし、前記周溝部の長さＬ１と前記化学発光体チューブの長さＬ２を略同一とし、前記周溝部の深さＤ１と前記化学発光体チューブの外径Ｄ２を略同一としている。
【００１２】
さらに、前記化学発光体チューブ３０の一端部に挿入部３５を形成すると共に他端部に受け部３６を形成し、前記挿入部３５を受け部３６に挿入して前記周溝部１２に嵌入組付けするものである。
【考案の効果】
【００１３】
請求項１に記載の発光ペットボトル製品１は、ペットボトル本体１０の外周面に形成された周溝部１２に化学発光体チューブ３０を嵌入組付けするので、当該化学発光体チューブ３０の発光機能によって優れた装飾効果を発揮することができる。
【００１４】
請求項２に記載の発光ペットボトル製品１は、請求項１に記載の考案と同様に、化学発光体チューブ３０の発光機能によって優れた装飾効果を発揮することができる。
【００１５】
また、ペットボトル本体１０に収納した内容物Ｃが水であるため、化学発光体チューブ３０からの光が当該水を通過しあるいは反射することによって、装飾効果をされに高めることができる。
【００１６】
また、ペットボトル本体１０の周壁が円筒壁（平面円形状）であるため、その周溝部１２も平面円形状となる。従って、当該周溝部１２に嵌入する化学発光体チューブ３０も平面円形状（リング状）に緩やかに折り曲げれば良く、その結果、チューブ本体３１を壊すことなく容易に折曲げることができる。
【００１７】
また、周溝部の長さＬ１と化学発光体チューブの長さＬ２が略同一であるため、周溝部１２の全長にわたって化学発光体チューブ３０を配置することができる。これにより、ペットボトル本体１０の全周から発光させることができるので、発光ペットボトル製品１の装飾性をさらに高めることができる。
【００１８】
また、周溝部の深さＤ１と化学発光体チューブの外径Ｄ２が略同一であるので、化学発光体チューブ３０を周溝部１２にそこから突出させることなく嵌入することができる。従って、当該発光ペットボトル製品１の外観性を良好に維持することができる。
【００１９】
さらに、化学発光体チューブ３０の一端部に挿入部３５を形成すると共に他端部に受け部３６を形成し、挿入部３５を受け部３６に挿入することによって、当該化学発光体チューブ３０を周溝部１２に嵌入組付けするので、その取付けおよび取外しを容易に行うことができる。
【図面の簡単な説明】
【００２０】
【図１】本考案の実施形態に係る発光ペットボトル製品を示す正面図（側面図）である。
【図２】図１に示す発光ペットボトル製品の平面図である。
【図３】図１に示す発光ペットボトル製品のペットボトル本体を示す要部正面図（側面図）である。
【図４】図１に示す発光ペットボトル製品の化学発光体チューブを示す平面図である（湾曲前の直線状態を示す）。
【図５】図１に示す発光ペットボトル製品の化学発光体チューブを示す平面図である（湾曲している状態を示す）。
【図６】図１に示す発光ペットボトル製品の化学発光体チューブを示す平面拡大断面図である（湾曲前の直線状態を示す）。
【図７】図１に示す発光ペットボトル製品のペットボトル本体の一部を示す正面拡大断面図である。
【考案を実施するための形態】
【００２１】
本考案に係る発光ペットボトル製品１の実施形態を、図１乃至図７に示す。この発光ペットボトル製品１は、ペットボトル本体１０、キャップ体２０および化学発光体チューブ３０を備える。
【００２２】
ペットボトル本体１０は内容物Ｃとして透明な水（天然水）を収納し、筒壁（円筒壁）１１下部の外周面に周方向に沿って三つの周溝部１２を備える。この三つの周溝部１２は上下に等間隔で形成されており、各周溝部１２の底部１２ｃは化学発光体チューブ３０の外周面に対応した略半円形である。ペットボトル本体１０の上部には、製造会社や内容物Ｃの栄養成分等を記載した樹脂製のラベルＬＢが設けられている。
【００２３】
キャップ体２０は樹脂製であり、ペットボトル本体１０の口部に形成された螺条（ネジ部）に螺合して組付き、ペットボトル本体１０の内部を密閉する。
【００２４】
化学発光体チューブ３０は、ペットボトル本体１０の周溝部１２に湾曲自在に弾性変形して嵌入する。本実施形態では、三つの周溝部１２に対応して３本の化学発光体チューブ３０を設けている。この３本の化学発光体チューブ３０の色はそれぞれ異なり、従って、異なった色を発光する。この色には、例えば、オレンジ、イエロー、ピンクなどがある。
【００２５】
各化学発光体チューブ３０は、蛍光液３３を密封した細長い円筒状で脆弱であるガラスアンプル３２を、酸化液３４を介して同じく細長い円筒状のチューブ本体３１で密閉したものである。すなわち、ガラスアンプル３２とチューブ本体３１との間に酸化液３４を密封状態で収納している。
【００２６】
そして、チューブ本体３１を折曲げることによってガラスアンプル３２を破壊して蛍光液３３と酸化液３４を接触および混合させ、両者の化学反応によって発光させるものである。なお、化学発光体チューブ３０の発光は、蛍光液３３と酸化液３４との化学反応が終わると終了するが、この発光時間は通常４〜６時間に設定される。
【００２７】
化学発光体チューブ３０の外郭を形成するチューブ本体３１は、光透過性のあるポリプロピレンやポリエチレンなどで構成することができる。また、ガラスアンプル３２は肉薄に形成された硝子製であり、折曲げによって割れ易い構造である。
【００２８】
なお、本実施形態においては、周溝部の長さＬ１と化学発光体チューブの長さＬ２をほぼ等しく設定し、また、当該周溝部の深さＤ１と化学発光体チューブの外径Ｄ２をほぼ等しく設定している。
【００２９】
また、この化学発光体チューブ３０は、その一端部に突起状の挿入部３５を形成し、他端部に円筒状の受け部３６を形成している。挿入部３５を受け部３６に密に挿入することによって、周溝部１２に嵌入した状態で組付ける。この状態の化学発光体チューブ３０は、周溝部１２に対応した平面リング形状を構成する。挿入部３５と受け部３６は発光しないが、両者はごく短く設定されているため、周溝部１２に嵌入組付きした状態において、当該化学発光体チューブ３０はほぼその全体（９／１０程度）が発光する部分を構成する。
【００３０】
本実施形態に係る発光ペットボトル製品１において、化学発光体チューブ３０を次のようにしてペットボトル本体１０に取付けて発光させることができる。すなわち、棒状の化学発光体チューブ３０をリング状に折曲げながら（図５参照）、ペットボトル本体１０の周溝部１２に嵌入させ、その挿入部３５を受け部３６に挿入して当該周溝部１２に組付ける。なお、本実施形態では、三つの周溝部１２のそれぞれに異なる色を発光する化学発光体チューブ３０を嵌入組付けするが、同じ色を発光する化学発光体チューブ３０を嵌入組付けすることもできる。
【００３１】
化学発光体チューブ３０を折り曲げたことにより、ガラスアンプル３２が破壊してその内部に収納している蛍光液３３と、チューブ本体３１とガラスアンプル３２との間に収納している酸化液３４が混合して化学反応して発光する。この光は大気中に放出され、また、ペットボトル本体１０に収納している水を通過あるいは反射して、光が持つ特有の装飾性を現出する。
【００３２】
本実施形態に係る発光ペットボトル製品１は、次の作用効果を発揮する。
（１）ペットボトル本体１０の外周面に形成された周溝部１２に化学発光体チューブ３０を嵌入組付けするので、当該化学発光体チューブ３０の発光機能によって優れた装飾効果を発揮することができる。特に、夜間における装飾性に極めて優れる。
【００３３】
（２）ペットボトル本体１０に収納した内容物Ｃが水であるため、化学発光体チューブ３０からの光が当該水を通過しあるいは反射することによって、装飾効果をさらに高めることができる。
【００３４】
（３）ペットボトル本体１０の周壁が円筒壁（平面円形状）であるため、その周溝部１２も平面円形状とすることができる。これにより、当該周溝部１２に嵌入する化学発光体チューブ３０も平面円形状（リング状）に緩やかに折り曲げることができ、その結果、チューブ本体３１を壊すことなく容易な折曲げが可能となる。
【００３５】
（４）周溝部の長さＬ１と化学発光体チューブの長さＬ２がほぼ等しいため、周溝部１２の全長にわたって化学発光体チューブ３０を配置することができる。これにより、ペットボトル本体１０の全周から発光させることができるので、発光ペットボトル製品１の装飾性をさらに高めることができる。
【００３６】
なお、本実施形態における化学発光体チューブ３０はほぼその全体（９／１０程度）が発光する部分を構成するが、当該発光部分の長さはそれより長くあるいは短くすることができる。
【００３７】
（５）周溝部の深さＤ１と化学発光体チューブの外径Ｄ２がほぼ等しいため、化学発光体チューブ３０を周溝部１２にそこから突出させることなく嵌入することができる。これにより、発光ペットボトル製品１の外観性を良好に維持することができる。なお、周溝部の深さＤ１と化学発光体チューブの外径Ｄ２を異なるものとすることも可能である。
【００３８】
（６）化学発光体チューブ３０を、その挿入部３５を受け部３６に挿入することによって周溝部１２に嵌入組付けするので、その取付けおよび取外しを容易に行うことができる。
【００３９】
（７）ペットボトル本体１０に三つの周溝部１２を形成し、それぞれに異なる光を放出する化学発光体チューブ３０を嵌入組付けするので、異なる光の相乗効果によって装飾性をさらに高めることができる。
【符号の説明】
【００４０】
１        発光ペットボトル製品
１０      ペットボトル本体
１１      筒壁
１２      周溝部
１２ｃ    底部
２０      キャップ体
３０      化学発光体チューブ
３１      チューブ本体
３２      ガラスアンプル
３３      蛍光液
３４      酸化液
３５      挿入部
３６      受け部
Ｃ        内容物
Ｄ１      周溝部の深さ
Ｄ２      化学発光体チューブの外径
Ｌ１      周溝部の長さ
Ｌ２      化学発光体チューブの長さ
ＬＢ      ラベル
【図１】
0003194466.tif 000003
【図２】
0003194466.tif 000004
【図３】
0003194466.tif 000005
【図４】
0003194466.tif 000006
【図５】
0003194466.tif 000007
【図６】
0003194466.tif 000008
【図７】
0003194466.tif 000009